(57)【要約】【課題】指がシュレッダー投入口に進入した場合に紙挿入路を密閉して指が深く入り込みカッターによる怪我や甚だしくは紛砕に至るのを防止するシュレッダーの紙挿入路を密封する安全装置の提供。【解決手段】シュレッダーの紙挿入路を密閉する安全装置は、シュレッダー投入口近くに触圧板2を可動枢着、その触圧板2が指等の投入口への進入によって生じた圧力を受けた場合、枢軸位置に基づいて回転、更に一組の伝動構造及び密閉部品が動かされて紙挿入路を閉じることにより、指を更に深く進入できなくして怪我を防ぐものである。触圧板2の圧力が消失すると、回復部品3によって触圧板2は正常位置に戻され、並びに、密閉部品が動かされて密閉位置を離れ正常の開かれた状態に戻る。【選択図】図１
0003130020.tif 000002
【実用新案登録請求の範囲】
【請求項１】
シュレッダーの紙挿入路を密閉する安全装置において、
投入口を設けたシュレッダー本体カバーと、
シュレッダー本体カバーの投入口付近に枢着し、枢軸を軸心として可動状態にある触圧板と、
触圧板によって動かされ、紙挿入路の開かれた位置と密閉位置の間を移動する密閉部品とにより構成されるシュレッダーの紙挿入路を密封する安全装置。
【請求項２】
請求項１記載のシュレッダーの紙挿入路を密封する安全装置において、前記触圧板は、一組の伝動構造を通して密閉部品を動かすことを特徴とするシュレッダーの紙挿入路を密封する安全装置。
【請求項３】
請求項２記載のシュレッダーの紙挿入路を密封する安全装置において、前記伝動構造は、触圧板の枢軸に固定した主動歯車を含み、その主動歯車は第一従動歯車に噛合、その第一従動歯車は更に第二従動歯車と噛合、その第二従動歯車は密閉部品を移動させることを特徴とするシュレッダーの紙挿入路を密封する安全装置。
【請求項４】
請求項３記載のシュレッダーの紙挿入路を密封する安全装置において、前記密閉部品はラックギヤであり、並びに第二従動歯車と噛合することを特徴とするシュレッダーの紙挿入路を密封する安全装置。
【請求項５】
請求項２記載のシュレッダーの紙挿入路を密封する安全装置において、前記触圧板の枢軸に設けた回復部品の一端は触圧板を圧止、もう一端を伝動構造に固定することを特徴とするシュレッダーの紙挿入路を密封する安全装置。
【請求項６】
請求項５記載のシュレッダーの紙挿入路を密封する安全装置において、前記回復部品はバネであることを特徴とするシュレッダーの紙挿入路を密封する安全装置。
【考案の詳細な説明】
【技術分野】
【０００１】
本考案は、シュレッダーに関するものであり、特に、指を投入口に伸ばした時に紙挿入路の下方出口を塞いで怪我防止をした安全装置を提案するものである。
【背景技術】
【０００２】
公務上の法律関係文書、金融関係領収書、統一発票（政府認定の領収書）、クレジットカード番号、研究報告、クレジットカード月間請求書、電話料金請求書等各種書類のような家族全員の財務資料等が、外部の不当者へ漏れるのを避ける為に、通常は、機密性文書や資料をシュレッダーで処分し、データの外部漏れを防止をしている。そこで、シュレッダーは商務上及び家庭生活にとって不可欠な設備となった。
【０００３】
米国消費者製品安全委員会（ＣＰＳＣ：Consumer Product Safety Commission）が2004年5月にシュレッダーの安全警告(Paper shredder Safety Alert)を第5127号文書により公布した。当該文書は主に、シュレッダーを持つ家庭に対して家族全員がシュレッダーの操作時に特に注意しなければならない安全について呼びかけたものである。当該委員会は、2000年1月から2003年12月間に、シュレッダー操作時に発生した不意の指の怪我についての31件に及ぶ報告を受理し、その怪我人の絶対多数が14ヶ月から2歳の子供であり、特に、歩き始めたばかりの幼児であることを指摘している。この段階の幼児は大人の動作を非常に好んで模倣する時期でもあり、大人が注意していない時にシュレッダーで遊んでいて怪我に至ったものである。大人が傍らで見ている場合であっても、怪我が発生しないという保証はなく、シュレッダーは紙を裁断する過程において、紙に引っ張り力が発生する故、仮に紙を握っている手を離すのが遅かった場合、引っ張り力が指を一緒にシュレッダーの投入口に引っ張り込み、怪我の発生を招いている。
【０００４】
よって、米国消費者製品安全委員会は、消費者に向けてシュレッダー使用の際の特別注意事項を下記のとおり警告した。
1.絶対に幼児に単独でシュレッダー操作をさせないこと。大人が傍らで見ていたとしても、シュレッダーの引っ張り力が幼児の手を共にシュレッダー投入口に引っ張り込む危険性があることを認識しなければならない。
2.シュレッダーを幼児が容易に接触する位置に置いてはならない。
3.シュレッダー未使用の場合は、コンセントを引き抜くこと。
4.手や指をシュレッダーの上に置かないこと。
5.ゆったりした衣服を着ている場合、シュレッダーの投入口に衣服が巻き込まれるのを避ける為に、シュレッダーを操作しないこと。
6.ネクタイやネックレス等とシュレッダー投入口は安全距離を保持すること。
【０００５】
一般のシュレッダー投入口は幼児の手が挿入可能な幅であり、カッターによる怪我や甚だしくは引き砕くことに至る可能性もある。よって、投入口位置に安全保護防止装置を取り付けることは、投入口への手進入による怪我を防止する上、非常に必要な事である。
【考案の開示】
【考案が解決しようとする課題】
【０００６】
本考案は、指がシュレッダー投入口に進入した場合に紙挿入路を密閉して指が深く入り込みカッターによる怪我や甚だしくは紛砕に至るのを防止する安全装置の提供を最も主な目的とする。
【０００７】
上記目的を達成する為、本考案は、シュレッダーの紙挿入路を密閉する安全装置を提供する。それは、シュレッダー投入口近くに触圧板2を可動枢着、その触圧板2が指等の投入口への進入によって生じた圧力を受けた場合、枢軸位置に基づいて時計回りに回転、更に一組の伝動構造及び密閉部品が動かされて、紙挿入路下方の出口を閉じることにより、指を更に深く進入できなくして怪我を防ぐものである。触圧板2の圧力が消失すると、回復部品3によって触圧板2は正常位置に戻され、並びに、密閉部品が動かされて密閉位置を離れ正常の開かれた状態に戻るものである。
【課題を解決するための手段】
【０００８】
請求項１の考案は、シュレッダーの紙挿入路を密閉する安全装置において、
投入口を設けたシュレッダー本体カバーと、
シュレッダー本体カバーの投入口付近に枢着し、枢軸を軸心として可動状態にある触圧板と、
触圧板によって動かされ、紙挿入路の開かれた位置と密閉位置の間を移動する密閉部品とにより構成されるシュレッダーの紙挿入路を密封する安全装置としている。
請求項２の考案は、請求項１記載のシュレッダーの紙挿入路を密封する安全装置において、前記触圧板は、一組の伝動構造を通して密閉部品を動かすことを特徴とするシュレッダーの紙挿入路を密封する安全装置としている。
請求項３の考案は、請求項２記載のシュレッダーの紙挿入路を密封する安全装置において、前記伝動構造は、触圧板の枢軸に固定した主動歯車を含み、その主動歯車は第一従動歯車に噛合、その第一従動歯車は更に第二従動歯車と噛合、その第二従動歯車は密閉部品を移動させることを特徴とするシュレッダーの紙挿入路を密封する安全装置としている。
請求項４の考案は、請求項３記載のシュレッダーの紙挿入路を密封する安全装置において、前記密閉部品はラックギヤであり、並びに第二従動歯車と噛合することを特徴とするシュレッダーの紙挿入路を密封する安全装置としている。
請求項５の考案は、請求項２記載のシュレッダーの紙挿入路を密封する安全装置において、前記触圧板の枢軸に設けた回復部品の一端は触圧板を圧止、もう一端を伝動構造に固定することを特徴とするシュレッダーの紙挿入路を密封する安全装置としている。
請求項６の考案は、請求項５記載のシュレッダーの紙挿入路を密封する安全装置において、前記回復部品はバネであることを特徴とするシュレッダーの紙挿入路を密封する安全装置としている。
【考案の効果】
【０００９】
本考案のシュレッダーの紙挿入路を密封する安全装置は、指がシュレッダー投入口に進入した場合に紙挿入路を密閉して指が深く入り込みカッターによる怪我や甚だしくは紛砕に至るのを防止することを特徴とする。
【考案を実施するための最良の形態】
【００１０】
図１には、本考案の正常位置における平面構造図を、図２には、本考案の触圧板が圧力を受けた後の平面構造図を示す。
図１に示したとおり、シュレッダー本体カバー1の紙挿入路上方の入口11（即ち投入口）近くに触圧板2を可動枢着し、その触圧板2の枢軸21には回復部品3を設け、その回復部品3は本実施例においてはバネであり、そのバネの一端は触圧板2内側縁を圧止、もう一端は伝動構造の扇形の主動歯車41上に固定、その扇形の主動歯車41は、触圧板2の枢軸21に固定しており、更に第一従動歯車42に噛合しており、その第一従動歯車42は第二従動歯車43と噛合、第二従動歯車43はラックギヤ5と噛合する。
【００１１】
図２に示したとおり、触圧板2が指等の投入口への進入によって生じた圧力（矢印Ｆ参照）を受けた場合、触圧板2が受けた圧力と軸心とするシュレッダー本体カバー1の枢軸21に基づいて発生する時計回りの回転と共に、伝動構造中における扇形の主動歯車41、第一従動歯車42、第二従動歯車43が動かされ、矢印に示した方向に同時に回転する。更に、第二従動歯車43に噛合したラックギヤ5が動かされ、紙挿入路下方の出口12方向に移動してそれを密閉する。また、上述の触圧板2が圧力を受けた時に生じる時計回りの回転と同時に回復部品3は収縮してその回復動力エネルギーを蓄積する。
【００１２】
手の前述触圧板2に対する圧力Ｆが、手が離れたことで消失した場合、回復部品3は元々蓄積していた動力エネルギーを放出し、触圧板2を逆時計回りに回転させて正常位置に戻すのと同時に、伝動構造中における扇形の主動歯車41、第一従動歯車42、第二従動歯車43を動かして逆方向に回転させ、更に、第二従動歯車43に噛合したラックギヤ5は紙挿入路下方の出口12を離れ開かれた状態となる。
【図面の簡単な説明】
【００１３】
【図１】本考案の正常位置における平面構造図である。
【図２】本考案の触圧板が圧力を受けた後の平面構造図である。
【符号の説明】
【００１４】
１        シュレッダー本体カバー
１１      入口
１２      出口
２        触圧板
２１      枢軸
３        回復部品
４１      主動歯車
４２      第一従動歯車
４３      第二従動歯車
５        ラックギヤ
【図１】
0003130020.tif 000003
【図２】
0003130020.tif 000004